(57)【特許請求の範囲】
【請求項１】
綿布を基材として全体が帯状に形成され、長手方向の中間の少なくとも１ヶ所に幅方向の全幅に亘る伸縮部を設けるとともに、長手方向の両端部付近に結合位置を調整可能で互いに結合する結合部をそれぞれ設け、ドレスに接する側の面における前記伸縮部及び前記結合部を除く前記基材の略全面にシリコン層を形成し、下着に接する側の面の前記基材の一部にもシリコン層を形成しており、
長手方向の両端部より中間部の幅が広く、全長に亘って弧状に反った形状をなし、前記中間部に長手方向に間隔を置いて一対の円形又は楕円形のバスト孔を形成したことを特徴とするドレスの着崩れ防止用バンド。
【請求項２】
前記伸縮部が、長手方向の両端部と前記各バスト孔との間にそれぞれ設けられた伸縮ネットであることを特徴とする請求項１に記載のドレスの着崩れ防止用バンド。
【請求項３】
前記結合部が、長手方向の両端部にそれぞれ接続された一対の布ゴムであり、その一方の布ゴムにフックが設けられ、他方の布ゴムに前記長手方向の異なる位置に前記フックが差し込まれる複数の穴が形成されていることを特徴とする請求項１又は２に記載のドレスの着崩れ防止用バンド。
【請求項４】
前記下着に接する側の面の前記シリコン層が、前記各バスト孔の上側にそれぞれ前記長手方向に沿って形成されていることを特徴とする請求項１から３のいずれか一項に記載のドレスの着崩れ防止用バンド。
【発明の詳細な説明】
【技術分野】
【０００１】
この発明は、結婚式で花嫁が着るウエディングドレス、結婚披露宴や各種のパーティーなどで婦人が着るアフタヌーンドレス、イブニングドレス、カクテルドレス等の各種ドレスを簡単に綺麗に着られ、着崩れも防止できるようにするためのドレスの着崩れ防止用バンドに関する。
【背景技術】
【０００２】
従来、婦人がドレスを着る場合、一般にキャミソール等の体にフィットした下着（アンダウエア、ドレスインナ）を着用し、その上にドレスを着用する。
しかし、結婚式で花嫁がウエディングドレスを着る場合、結婚式の何ヶ月も前に採寸してオーダするか、結婚式場等のレンタルのウエディングドレスを何着も試着して、自分の体形に合ったサイズで好みのデザインのものを選んで予約しておく。
【０００３】
しかし、結婚式当日までの間に、新婦がエステや心労などで痩せたり、妊娠などで太ったりして、ウエディングドレスの採寸や予約をしたときと体形が変わっていて、当日ウエディングドレスを着たときに下着（アンダウエア、ドレスインナ）にぴったりとフィットせず、ダブついたりして綺麗に着られないことがあり、内側に当て布をするなど着付けに苦労し手間取ることがあった。
【０００４】
それ以外のドレスを着る場合にも、自分のドレスを久しぶりに着たり、前以てレンタルの予約をしておいたドレスを着たりする場合に、同様に体形が変化していて、簡単に綺麗には着られないことがあった。
また、いずれの場合も、手間をかけて美しく着付けたとしても、その後動いているうちに着崩れが生じてしまうという問題もあった。
【発明の概要】
【発明が解決しようとする課題】
【０００５】
この発明は、このような問題を解決するためになされたものであり、ウエディングドレス等のドレスを作ったとき、あるいはレンタルドレスを予約したときと、実際に着用する際の体形が多少変わっていても、ドレスを簡単に美しく着られるようにし、着崩れも生じないようにすることを目的とする。
【課題を解決するための手段】
【０００６】
この発明は上記の目的を達成するため、綿布を基材として全体が帯状に形成され、長手方向の中間の少なくとも１ヶ所に幅方向の全幅に亘る伸縮部を設けるとともに、長手方向の両端部付近に結合位置を調整可能で互いに結合する結合部をそれぞれ設け、ドレスに接する側の面における上記伸縮部及び結合部を除く上記基材の略全面にシリコン層を形成し、下着に接する側の面の上記基材の一部にもシリコン層を形成しており、長手方向の両端部より中間部の幅が広く、全長に亘って弧状に反った形状をなし、上記中間部に長手方向に間隔を置いて一対の円形又は楕円形のバスト孔を形成したことを特徴とするドレスの着崩れ防止用バンドを提供する。
【０００８】
上記伸縮部が、長手方向の両端部と上記各バスト孔との間にそれぞれ設けられた伸縮ネットであるのが望ましい。
【０００９】
また、上記結合部が長手方向の両端部にそれぞれ接続された一対の布ゴムであり、その一方の布ゴムにフックが設けられ、他方の布ゴムに上記長手方向の異なる位置にそのフックが差し込まれる複数の穴が形成されているとよい。
上記下着に接する側の面の上記シリコン層が、上記各バスト孔の上側にそれぞれ長手方向に沿って形成されているとよい。
【発明の効果】
【００１０】
女性が体にフィットした下着を着用して、そのバスト部に、この発明によるドレスの着崩れ防止用バンドを巻いて結合部を結合すれば、それが伸縮部の伸縮によって体にフィットしてぴったりと巻きつけられ、下着に接する側の面のシリコン層が下着に付着して滑りが防止される。その上にドレスを着用すれば、ドレスに接する側の面の略全面に形成されたシリコン層が適度の粘性と摩擦係数を有するため、多少のダブつきがあっても簡単に形を整えることができ、その後動いてもその状態を保持できるため着崩れが生じない。
【図面の簡単な説明】
【００１１】
【図１】この発明によるドレスの着崩れ防止用バンドの一実施例であるウエスト用ドレス・ストッパの（ａ）ドレスに接する側の面及び（ｂ）下着に接する側の面の展開平面図である。
【図２】この発明によるドレスの着崩れ防止用バンドの他の実施例であるバスト用ドレス・ストッパの（ａ）ドレスに接する側の面及び（ｂ）下着に接する側の面の展開平面図である。
【００１２】
【図３】マネキンに図１に示したウエスト用ドレス・ストッパを装着した状態の正面図である。
【図４】同じくその背面図である。
【図５】マネキンに図２に示したバスト用ドレス・ストッパを装着した状態の正面図である。
【図６】同じくその側面図である。
【００１３】
【図７】この発明によるドレスの着崩れ防止用バンドを装着してウエディングドレスを着用した花嫁の例を示す正面図である。
【図８】この発明によるドレスの着崩れ防止用バンドを装着してイブニングドレスを着用した婦人の例を示す斜視図である。
【発明を実施するための形態】
【００１４】
以下、この発明を実施するための形態を図面に基づいて説明する。
〔ウエスト用ドレス・ストッパ〕
図１は、この発明によるドレスの着崩れ防止用バンドの一実施例であるウエスト用ドレス・ストッパの展開平面図であり、（ａ）はドレスに接する側（外側という）の面を、（ｂ）は下着に接する側（内側という）の面を、それぞれ示している。
【００１５】
この図１に示すウエスト用ドレス・ストッパ１は、白い綿布を基材２として全体が帯状に形成され、長手方向の中間の少なくても１ヶ所に幅方向の全幅に亘る伸縮部３を設けるとともに、長手方向の両端部付近に結合位置を調整可能で互いに結合する結合部として、外側の面の長手方向の一端部付近に長手方向に間隔を置いて複数の短冊状の面ファスナ（メス）４ａを、内側の面の長手方向の他端部に面積が大きい面ファスナ（オス）４ｂを、それぞ幅方向の全幅に亘って基材２に縫い付けて設けている。面ファスナ（メス）４ａと面ファスナ（オス）４ｂは逆でもよいし、結合部として他の部材を設けてもよい。
【００１６】
面ファスナはマジックテープ（登録商標）として市販されているもので、布地に細かいループ状の繊維が多数形成されたメス面と、樹脂による細かいフックが多数形成されたオス面とからなり、そのメス面とオス面とを重ね合わせて押さえると、多数のループ状の繊維とフックとが互いに係合して容易には剥がれなくなり、特に重ね合わせた面に平行な方向には強い固定力を持つ。
【００１７】
図１の（ａ）に示す外側の面における伸縮部３及び結合部である複数の面ファスナ（メス）４ａを除く基材２の略全面にシリコン層５を形成し、図１の（ｂ）に示す内側の面の基材２の一部（図示の例では２箇所）にもシリコン層６を形成している。シリコン層５，６は、例えば市販のチューブ入り粘液状のシリコン材を綿布の基材２の表面に刷毛等で塗布して固化させたコート層である。このシリコン層５，６は、適度の粘性と摩擦係数を有し、下着やドレスと接触してズレを防止する。
【００１８】
この例では、内側の面の伸縮部３と面ファスナ（オス）４ｂとの間の基材２上にも長手方向に沿って面ファスナ（オス）４ｃを設けている。これは、ウエストが細い人のための遊び防止用である。
また、この例では伸縮部３が帯状の布ゴムであり、幅方向に中央部３ａとその上部３ｂ及び下部３ｃの３片に分割され、中央部３ａの幅が狭く上部３ｂと下部３ｃの方が幅が広くなっている。これらの中央部３ａと上部３ｂ及び下部３ｃの布ゴムの各両端部は、長手方向の中央で２分割された基材２の各分割縁に沿って共通の当て布をして縫い付けられている。
【００１９】
伸縮部３をこのように構成することによって、このウエスト用ドレス・ストッパ１をウエストに巻き付けたときに、上部３ｂと下部３ｃがウエストの形状に合わせて個別に自在に伸縮し、ウエストの面にフィットし易くなる。この例では、伸縮部３を長手方向の中央部の１ヶ所に設けたが、長手方向の中間の複数箇所に設けてもよい。
このウエスト用ドレス・ストッパ１の幅Ｗは１２０〜１５０ｍｍ（例えば１３０ｍｍ）、長さＬは８００〜１０００ｍｍ（例えば９００ｍｍ）程度がよいが、種々の体格の女性用に大、中、小などの異なるサイズのものを作製してもよい。
【００２０】
〔バスト用ドレス・ストッパ〕
図２は、この発明によるドレスの着崩れ防止用バンドの他の実施例であるバスト用ドレス・ストッパの展開平面図であり、（ａ）はドレスに接する側（外側という）の面を、（ｂ）は下着に接する側（内側という）の面を、それぞれ示している。
この図２に示すバスト用ドレス・ストッパ１０は、白い綿布を基材１２として全体が帯状に形成され、長手方向の中間の両端部寄りの２ヶ所に幅方向の全幅に亘る伸縮部１３を設けるとともに、長手方向の両端部に結合位置を調整可能で互いに結合する結合部１４ａ，１４ｂを設けている。
【００２１】
このバスト用ドレス・ストッパ１０は、長手方向の両端部より中間部の幅が広く、全長に亘って上側に弧状に反った形状をなし、中間部に長手方向に間隔を置いて一対の楕円形のバスト孔１１を形成している。このバスト孔１１は円形でもよいが、楕円形の方が種々の大きさのバストに対応し易い。
伸縮部１３は、長手方向の両端部と各バスト孔１１との間にそれぞれ設けられた伸縮ネットであるが、帯状の布ゴムにしてもよい。
【００２２】
結合部１４ａ，１４ｂは、基材１２の長手方向の両端部にそれぞれ縫い付けて接続された一対の布ゴムであり、その一方の結合部１４ａの布ゴムにヘアピン状のフック１４ｃが設けられ、他方の結合部１４bの布ゴムに長手方向の異なる位置にフック１４ｃが差し込まれる複数の穴１４ｄが形成されている。なお、結合部１４ａ，１４ｂとして、その部分まで基材１２を延設し、前述の実施例と同様に一方の端部の外側の面に面ファスナ（メス）を、他方の端部の内側の面に面ファスナ（オス）を設けるようにしてもよい。
【００２３】
図２の（ａ）に示す外側の面における伸縮部１３及び結合部１４ａ，１４ｂを除く基材１２の略全面にシリコン層1５を形成し、図２の（ｂ）に示す内側の面の基材１２の各バスト孔１１の上側にそれぞれ長手方向に沿って２箇所にシリコン層１６を形成している。これらのシリコン層１５，１６は、前述の実施例のシリコン層５，６と同様なシリコン材のコート層である。
【００２４】
このバスト用ドレス・ストッパ１０の長手方向の中央部の幅は１６０〜２００ｍｍ（例えば１８０ｍｍ）、基材１２の長さは１０００〜１２００ｍｍ（例えば１１００ｍｍ）程度がよいが、種々の体格の女性用に大、中、小などの異なるサイズのものを作製してもよい。
【００２５】
〔使用状態の説明〕
次に、これらのドレスの着崩れ防止用バンドの使用状態について説明する。
図３及び図４は、女性の体を模したマネキン２０に図１に示したウエスト用ドレス・ストッパ１を装着した状態の正面図及び背面図である。
【００２６】
先ず、体にフィットしたキャミソール等のドレスインナ３０を着用し、その上に腰からカップ部３１の下側までの範囲にウエスト用ドレス・ストッパ１を、図１の（ｂ）に示した内側の面をドレスインナ３０に接触させるようにして、図３に示すように伸縮部３を前側の略中央に位置させて巻き付け、体にフィットするように少し引っ張りながら後ろ側で図４に示すように、結合部の面ファスナ（メス）４ａと面ファスナ（オス）４ｂを重ね合わせて結合する。
【００２７】
このとき、図３に示す伸縮部３の各部３ａ〜３ｃが個別に自在に伸縮するため、ウエスト用ドレス・ストッパ１が体の腰から胴の線に密着し、図１の（ｂ）に示した内側の面のシリコン層６がドレスインナ３０に圧接するので、ウエスト用ドレス・ストッパ１とドレスインナ３０との相対位置がずれることがない。また、この状態でウエスト用ドレス・ストッパ１の外側の面は、略全面にシリコン層５が露出している。このウエスト用ドレス・ストッパ１を装着する際の上下の向きはどちらでも同じである。
【００２８】
この状態で、ウエディングドレス等のドレスを着用して形を整え、腰から胴の部分を軽く押さえると、ドレスの内面がウエスト用ドレス・ストッパ１のシリコン層５に接触し、その適度の粘性と摩擦力によって滑りにくくなり、着付け状態を保持して着崩れを防止することができる。しかし、ドレスがシリコン層５に貼りつくようなことはないので、着ている人の動作を阻害したり、不自然に見えたりする恐れはない。
【００２９】
このようにして、結婚式の当日に図７に示すように、花嫁がウエディングドレス５０を体形に合わせて簡単に美しく着ることができ、その後の着崩れも防ぐことができる。それ以外のドレスでも同様に、特にウエスト部が締まったドレスを簡単に美しく着ることができる。
【００３０】
図５及び図６は、女性の体を模したマネキン２０に図２に示したバスト用ドレス・ストッパ１０を装着した状態の正面図及び側面図である。
先ず、図３及び図４に示した例と同様に、体にフィットしたキャミソール等のドレスインナ３０を着用し、その胴からバストの範囲にバスト用ドレス・ストッパ１０を装着する。
【００３１】
このとき、図２の（ｂ）に示した内側の面を図示の上下関係（シリコン層１６を上側にする）でドレスインナ３０に接触させるように、一対のバスト孔１１から図５に示すドレスインナ３０の一対のカップ部３１を突出させて巻き付け、体にフィットするように少し引っ張りながら後ろ側で、図２に示した一方の結合部１４ａのフック１４ｃを他方の結合部１４ｂの複数の穴１４ｄのいずれかに差し込んで結合する。
【００３２】
その際、伸縮ネットによる伸縮部１３が図６に示すように体形に合わせて自在に伸縮するため、バスト用ドレス・ストッパ１０をバストに密着させることができる。この伸縮部１３は薄いネット状なので蒸れを防ぐこともできる。結合部１４ａ，１４ｂは布ゴムであるため伸縮し、且つ結合部１４ｂには穴１４ｄが３ヶ所設けられているので、バストのサイズに合わせて任意に調整できる。
【００３３】
また、図２の（ｂ）に示した内側の面の上部の一対のシリコン層１６がドレスインナ３０の上部に圧接するので、バスト用ドレス・ストッパ１０とドレスインナ３０との相対位置がずれることがない。また、この状態でバスト用ドレス・ストッパ１０の外側の面は、略全面にシリコン層１５が露出している。
【００３４】
この状態で、例えば図８に示すように、イブニングドレス６０のように袖なしのドレスを着用してバスト部の上縁をバスト用ドレス・ストッパ１０の上縁に沿わせ、軽く押さえて形を整えると、そのドレス上部の内面がバスト用ドレス・ストッパ１０のシリコン層１５に接触し、その適度の粘性と摩擦力によってぴったりとフィットして滑らなくなる。したがって、ドレスを簡単に美しく着ることができ、その状態を保持して着崩れを防止することができる。しかし、ドレスがシリコン層１５に貼りつくようなことはないので、着ている人の動作を阻害したり、不自然に見えたりする恐れはない。
【００３５】
このバスト用ドレス・ストッパ１０は、ノースリーブのドレスのようにバスト部が体にフィットしてバストでずり落ちを防ぐタイプのドレスを着用するのに適している。したがって、そのようなウエディングドレスを着用する場合にも適している。
さらに、前述したウエスト用ドレス・ストッパ１とこのバスト用ドレス・ストッパ１０とを併用すれば、ウエスト部もバスト部も体にフィットしたドレスを簡単に美しく着ることができる。
【００３６】
なお、シリコン層の手入れはアルコール、水、消毒剤等で容易に行うことができ、汗や汚れが付着した場合にも、簡単にふき取ることができ、常に清潔に保つことができる。
このウエスト用ドレス・ストッパ１もバスト用ドレス・ストッパ１０も、小さく巻いたり折り畳むことができるので嵩張らず、持ち運びに便利である。
【産業上の利用可能性】
【００３７】
この発明によるドレスの着崩れ防止用バンド（ドレス・ストッパ）は、これまでになかった製品であるが、これを使用することによって、結婚式場での花嫁のウエディングドレスの着付けやお色直しの着替えを容易に短時間で綺麗に仕上げることができる。また、結婚披露宴や各種のパーティーなどに婦人が出席する場合にも、各種のドレスを手早く美しく着ることができ、着用後に動いても着崩れすることがない。したがって、式場用や個人用として広範な利用が見込まれる。
さらに、和服を着る際には多数の紐を使用するため着付けに時間がかかるが、この着崩れ防止用バンドを使用して紐の数を減らし、短時間で和服を着られるようにすることも可能である。
【符号の説明】
【００３８】
１：ウエスト用ドレス・ストッパ（ドレスの着崩れ防止用バンド）
２：綿布による基材      ３：伸縮部（布ゴム）      ３ａ：中央部
３ｂ：上部      ３ｃ：下部      ４ａ：面ファスナ（メス）（結合部）
４ｂ，４ｃ：面ファスナ（オス）（結合部）      ５，６：シリコン層
【００３９】
１０：バスト用ドレス・ストッパ    １１：バスト孔    １２：綿布による基材
１３：伸縮部（伸縮ネット）      １４ａ，１４ｂ：結合部（布ゴム）
１４ｃ：フック      １４ｄ：フックが差し込まれる穴
１５，１６：シリコン層        ２０：マネキン
３０：ドレスインナ（キャミソール等の下着）      ３１：カップ部
５０：ウエディングドレス      ６０：イブニングドレス
【図１】
0005427534.tif 000002
【図２】
0005427534.tif 000003
【図３】
0005427534.tif 000004
【図４】
0005427534.tif 000005
【図５】
0005427534.tif 000006
【図６】
0005427534.tif 000007
【図７】
0005427534.tif 000008
【図８】
0005427534.tif 000009